(57)【特許請求の範囲】
【請求項１】
光源からの光束を、対物レンズを介して光情報記録媒体に照射し、該光情報記録媒体からの反射光を、前記対物レンズと光束分離素子を介して受光素子に入射させ、前記光情報記録媒体の情報を再生する光ディスクドライブ装置において、
ライトパワー領域まで検出可能な第１の信号処理手段と、リードパワー領域のみ検出可能な第２の信号処理手段を備え、
前記受光素子からの信号を前記第１の信号処理手段と前記第２の信号処理手段で処理し、前記第１の信号処理手段によってトラックエラー信号とフォーカスエラー信号を検出し、前記第２の信号処理手段によってウォブル信号を検出することを特徴とする光ディスクドライブ装置。
【請求項２】
光源からの光束を、対物レンズを介して光情報記録媒体に照射し、該光情報記録媒体からの反射光を、前記対物レンズと光束分離素子を介して受光素子に入射させ、前記光情報記録媒体の情報を再生する光ディスクドライブ装置において、
第１の受光素子と、第２の受光素子と、ライトパワー領域まで検出可能な第１の信号処理手段と、リードパワー領域のみ検出可能な第２の信号処理手段と、前記光束分離素子とを備え、
前記光情報記録媒体からの反射光を、前記光束分離素子により２光束に分離し、一方の光束を前記第１の受光素子に入射させ、前記第１の受光素子からの信号を前記第１の信号処理手段で処理してトラックエラー信号とフォーカスエラー信号を検出し、もう一方の光束は前記第２の受光素子に入射させ、前記第２の受光素子からの信号を前記第２の信号処理手段で処理してウォブル信号を検出することを特徴とする光ディスクドライブ装置。
【請求項３】
請求項２記載の光ディスクドライブ装置において、
前記光束分離素子はホログラムであることを特徴とする光ディスクドライブ装置。
【発明の詳細な説明】
【０００１】
【発明の属する技術分野】
本発明は光ディスクドライブ装置に関し、特に、トラックにウォブル記録された光ディスクの付帯情報を記録中に検出する手段に特徴を有する光ディスクドライブ装置に関する。
【０００２】
【従来の技術】
従来、半導体レーザ等の光源からの光束を、対物レンズを介して光情報記録媒体である光ディスクに照射し、該光ディスクからの反射光を、対物レンズと光束分離素子を介して受光素子に入射させ、上記光ディスクの情報を再生する光ディスクドライブ装置が知られている。
この種の光ディスクドライブ装置において、トラックにウォブル記録された光ディスクの付帯情報を検出する方法としては、ウォブル信号に含まれているピットからのノイズを除去するために、ウォブル信号をＲｆ信号で正規化する方法（特開平６−２９０４６２号公報）や、ウォブル信号に含まれているピットからのノイズを除去するために、ウォブル信号を検出する２つの受光素子に均等に光が検出されるように、対物レンズに偏光性ホログラムを付ける方法（特開平８−６３７７８号公報）等が提案されている。
【０００３】
【発明が解決しようとする課題】
近年、書き込み可能な光ディスクとしては、ＣＤ−Ｒ，ＣＤ−ＲＷ，ＤＶＤ−Ｒ，ＤＶＤ−ＲＷ等が有り、いずれもアドレス等の付帯情報がグルーブをウォブルさせることにより記録されている。例えばＣＤ−Ｒ，ＣＤ−ＲＷのグルーブは１倍速時に２２．０５ＫＨｚの搬送波でアドレス等の付帯情報により変調されている。光ディスクドライブ装置は、このウォブルしたグルーブからの反射光を２分割受光素子で検出し、その差信号であるプッシュプル信号（ウォブル信号）からアドレス等の付帯情報を読み取ることができる。
【０００４】
図３に従来の一般的な光ディスクドライブ装置のピックアップの概略構成図を示す。図３において、光源である半導体レーザ１１からの光束は、光束分離素子１４を透過し、対物レンズ１２により集光されて光ディスク１３に照射される。この光ディスク１３からの反射光は、対物レンズ１２、光束分離素子１４を介して受光素子１５に入射する。そして、受光素子１５からの信号を増幅器（アンプ）１６で増幅処理し、光ディスク１３上の情報を再生する。
ここで、図４は光ディスク１３に情報を記録中の、光ディスク１３からの反射光のレベル（強度）を、時間軸を横軸にとって概略的に示す波形図であり、Ｗは記録レベル（ライトレベル）を、Ｒは読取りレベル（リードレベル）を表している。一般にライトレベル（Ｗ）はリードレベル（Ｒ）の１０倍程度である。
また、図５は光ディスク１３に情報を記録中の、光ディスク１３からの反射光を受光素子１５で受光し、その受光素子１５の出力信号をアンプ１６を介して増幅処理した後の信号出力の変化を、時間軸を横軸にとって概略的に示す波形図であり、この信号波形は図４に対して鈍った波形になる。
【０００５】
さて、前述のウォブル信号は、情報を記録中は図５のリードレベル（Ｒ）をサンプルホールドして検出しているが、ライトレベル（Ｗ）とリードレベル（Ｒ）の隔差が大きいため、ライトレベル（Ｗ）からリードレベル（Ｒ）に整定する時間が非常に長く、正確なリードレベル（Ｒ）を検出するのが難しかった。
【０００６】
本発明は上記事情に鑑みなされたものであって、情報を記録中のリードパワー領域での情報を正確に検出でき、ウォブル信号を正確に検出することができる手段を備えた光ディスクドライブ装置を提供することを目的とする。
【０００７】
【課題を解決するための手段】
上記目的を達成するため、請求項１に係る発明は、光源からの光束を、対物レンズを介して光情報記録媒体に照射し、該光情報記録媒体からの反射光を、前記対物レンズと光束分離素子を介して受光素子に入射させ、前記光情報記録媒体の情報を再生する光ディスクドライブ装置において、ライトパワー領域まで検出可能な第１の信号処理手段と、リードパワー領域のみ検出可能な第２の信号処理手段を備え、前記受光素子からの信号を前記第１の信号処理手段と前記第２の信号処理手段で処理し、前記第１の信号処理手段によってトラックエラー信号とフォーカスエラー信号を検出し、前記第２の信号処理手段によってウォブル信号を検出する構成としたものである。
【０００８】
請求項２に係る発明は、光源からの光束を、対物レンズを介して光情報記録媒体に照射し、該光情報記録媒体からの反射光を、前記対物レンズと光束分離素子を介して受光素子に入射させ、前記光情報記録媒体の情報を再生する光ディスクドライブ装置において、第１の受光素子と、第２の受光素子と、ライトパワー領域まで検出可能な第１の信号処理手段と、リードパワー領域のみ検出可能な第２の信号処理手段と、前記光束分離素子とを備え、前記光情報記録媒体からの反射光を、前記光束分離素子により２光束に分離し、一方の光束を前記第１の受光素子に入射させ、前記第１の受光素子からの信号を前記第１の信号処理手段で処理してトラックエラー信号とフォーカスエラー信号を検出し、もう一方の光束は前記第２の受光素子に入射させ、前記第２の受光素子からの信号を前記第２の信号処理手段で処理してウォブル信号を検出する構成としたものである。
また、請求項３に係る発明は、請求項２記載の光ディスクドライブ装置において、上記光束分離素子はホログラムである構成としたものである。
【０００９】
【発明の実施の形態】
（実施例１）
まず請求項１に係る光ディスクドライブ装置の構成、動作について説明する。
図１は本発明の一実施例を示す光ディスクドライブ装置のピックアップの概略構成図である。
図１において、光源である半導体レーザ１からの光束は、光束分離素子４を透過し、対物レンズ２により集光されて光ディスク３に照射される。この光ディスク３からの反射光は、対物レンズ２を通過した後、光束分離素子４を介して受光素子５に入射される。そして、受光素子５からの信号は、ライトパワー領域まで処理可能な信号処理手段であるアンプ６と、リードパワー領域のみ処理可能な信号処理手段であるアンプ７の少なくとも２系統で処理され、光ディスク３からの情報が処理される。
【００１０】
ここで、光ディスク３に情報を記録中の、光ディスク３からの反射光のレベル（強度）は図４に示すような波形となる。
また、光ディスク３に情報を記録中の、光ディスク３からの反射光を受光素子５で受光し、ライトパワー領域まで処理可能なアンプ６を介して処理した後の信号出力は図５に示すような波形となり、図４に対して鈍った波形になり、ライトレベル（Ｗ）とリードレベル（Ｒ）の隔差も大きいため、ライトレベル（Ｗ）からリードレベル（Ｒ）に整定する時間が長い。従ってライトパワー領域まで処理可能なアンプ６の信号から正確なリードレベル（Ｒ）を検出することは難しい。
【００１１】
そこで本実施例では、受光素子５からの信号を、リードパワー領域のみ処理可能な信号処理手段であるアンプ７で処理して、正確なリードレベル（Ｒ）が検出できるようにしている。
図６は光ディスク３に情報を記録中の、光ディスク３からの反射光を受光素子５で受光し、リードパワー領域のみ処理可能なアンプ７を介して処理した後の信号出力の変化を、時間軸を横軸にとって概略的に示す波形図である。ここで、アンプ７は、ライトレベル（Ｗ）がダイナミックレンジの外に設定されており、リードレベル（Ｒ）のみしか処理できないようになっている。このため、アンプ７からの出力はリードレベル（Ｒ）より多少大きい出力までしか出ないので、リードレベル（Ｒ）に整定する時間が短い。従って、アンプ７の出力により正確なリードレベルを検出することができる。
尚、アンプ７において、ライトレベルをダイナミックレンジの外に設定する手段は、単にアンプ７のゲインをアンプ６のゲインより高くしても良いし、アンプ７にリミッタ回路を付加しても良い。
【００１２】
光ディスク３に情報を記録中の、光ディスク３からの情報には、トラックずれ情報（トラック信号）、フォーカスずれ情報（フォーカス信号）、ウォブル信号等があるが、２系統の信号処理手段のうち、アンプ６はライトレベルまで処理可能であるので、アンプ６でトラック信号、フォーカス信号を処理し、アンプ７はリードレベルの処理専用であるので、ウォブル信号を処理するようにする。
【００１３】
（実施例２）
次に請求項２，３に係る光ディスクドライブ装置の構成、動作について説明する。
図２は本発明の別の実施例を示す光ディスクドライブ装置のピックアップの概略構成図である。
図２において、光源である半導体レーザ１からの光束は、光束分離素子８を透過し、対物レンズ２により集光されて光ディスク３に照射される。この光ディスク３からの反射光は、対物レンズ２を通過した後、光束分離素子８を介して２つの光束に分離され、一方の光束は第１の受光素子５に入射され、第１の受光素子５からの信号は、ライトパワー領域まで処理可能な信号処理手段であるアンプ６で処理され、もう一方の光束は第２の受光素子９に入射され、第２の受光素子９からの信号は、リードパワー領域のみ処理可能な信号処理手段であるアンプ７で処理される。
【００１４】
ここで、光ディスク３に情報を記録中の、光ディスク３からの反射光のレベル（強度）は図４に示すような波形となる。また、光ディスク３に情報を記録中の、光ディスク３からの反射光を第１の受光素子５で受光し、ライトパワー領域まで処理可能なアンプ６を介して処理した後の信号波形は図５に示すような波形となり、図４に対して鈍った波形になり、ライトレベル（Ｗ）とリードレベル（Ｒ）の隔差も大きいため、ライトレベル（Ｗ）からリードレベル（Ｒ）に整定する時間が長い。従ってライトパワー領域まで処理可能なアンプ６の信号から正確なリードレベル（Ｒ）を検出することは難しい。
【００１５】
一方、光ディスク３に情報を記録中の、光ディスク３からの反射光を第２の受光素子９で受光し、リードパワー領域のみ処理可能なアンプ７を介して処理した後の信号波形は図６に示すような波形となる。ここで、図２の実施例の場合も、アンプ７は、ライトレベル（Ｗ）がダイナミックレンジの外に設定されており、リードレベル（Ｒ）のみしか処理できないようになっている。このため、アンプ７からの出力はリードレベル（Ｒ）より多少大きい出力までしか出ないので、リードレベル（Ｒ）に整定する時間が短い。従って、アンプ７の出力により正確なリードレベルを検出することができる。
【００１６】
光ディスク３に情報を記録中の、光ディスク３からの情報には、トラックずれ情報（トラック信号）、フォーカスずれ情報（フォーカス信号）、ウォブル信号等があるが、第１の受光素子５とアンプ６の系統は、ライトレベルまで処理可能であるので、トラック信号、フォーカス信号を処理し、第２の受光素子９とアンプ７の系統は、リードレベルの処理専用であるので、ウォブル信号を処理するようにする。
【００１７】
尚、図２に示す光ディスクドライブ装置のピックアップでは、光束分離素子８にはホログラムを用い、ホログラムによる回折作用を利用して光ディスク３からの反射光を２光束に分離する。すなわち、ホログラムの±１次回折光を利用することにより、簡単に２光束に分離することができる。
【００１８】
【発明の効果】
以上説明したように、請求項１に係る発明では、光源（１）からの光束を、対物レンズ（２）を介して光情報記録媒体（３）に照射し、該光情報記録媒体（３）からの反射光を、前記対物レンズ（２）と光束分離素子（４）を介して受光素子（５）に入射させ、前記受光素子からの信号をライトパワー領域まで処理可能な第１の信号処理手段であるアンプ（６）と、リードパワー領域のみ処理可能な第２の信号処理手段であるアンプ（７）で処理し、前記第１の信号処理手段であるアンプ（６）によってトラックエラー信号とフォーカスエラー信号を検出し、前記第２の信号処理手段であるアンプ（７）によってウォブル信号を検出する構成としたので、記録時のリードパワー領域での情報を正確に検出することが可能となる。
【００２０】
請求項２に係る発明では、光源（１）からの光束を、対物レンズ（２）を介して光情報記録媒体（３）に照射し、該光情報記録媒体（３）からの反射光を、上記対物レンズ（２）と光束分離素子（８）を介して２光束に分離し、一方の光束を第１の受光素子（５）に入射させ、第１の受光素子（５）からの信号を、ライトパワー領域まで処理可能な第１の信号処理手段であるアンプ（６）で処理してトラックエラー信号とフォーカスエラー信号を検出し、もう一方の光束は第２の受光素子（９）に入射させ、第２の受光素子（９）からの信号を、リードパワー領域のみ処理可能な第２の信号処理手段であるアンプ（７）で処理してウォブル信号を検出する構成としたので、記録時のリードパワー領域での情報を正確に検出することが可能となる。
【００２１】
請求項３に係る発明では、請求項２記載の光ディスクドライブ装置において、前記光束分離素子（８）はホログラムである構成としたので、ホログラムによる±１次回折光を利用して、簡単に２光束に分離することが可能となる。
【図面の簡単な説明】
【図１】本発明の一実施例を示す光ディスクドライブ装置のピックアップの概略構成図である。
【図２】本発明の別の実施例を示す光ディスクドライブ装置のピックアップの概略構成図である。
【図３】従来の一般的な光ディスクドライブ装置のピックアップの概略構成図である。
【図４】光ディスクに情報を記録中の光ディスクからの反射光のレベル（強度）の変化を概略的に示す図である。
【図５】光ディスクに情報を記録中の光ディスクからの反射光を受光素子で受光し、ライトパワー領域まで処理可能なアンプを介して処理した後の信号出力の変化を概略的に示す図である。
【図６】光ディスクに情報を記録中の光ディスクからの反射光を受光素子で受光し、リードパワー領域のみ処理可能なアンプを介して処理した後の信号出力の変化を概略的に示す図である。
【符号の説明】
１：半導体レーザ（光源）
２：対物レンズ
３：光ディスク（光情報記録媒体）
４：光束分離素子
５：受光素子
６：アンプ（ライトパワー領域まで処理可能な信号処理手段）
７：アンプ（リードパワー領域のみ処理可能な信号処理手段）
８：光束分離素子（ホログラム）
９：受光素子
【図１】
0003961166.tif 000002
【図２】
0003961166.tif 000003
【図３】
0003961166.tif 000004
【図４】
0003961166.tif 000005
【図５】
0003961166.tif 000006
【図６】
0003961166.tif 000007